(57)【要約】【課題】  確実にTE機能を実現させることができるとともに、角筒状容器胴を有する容器に対しても適用することができるTE機能を持つ容器キャップを提供すること【解決手段】  筒部１０３を有する容器１００の口部を開閉するカバーキャップと容器１００の外面に係止してカバーキャップを拘束保持するTEバンドとを有する容器キャップにおいて、TEバンドは、容器１００に係止しかつカバーキャップに係止してカバーキャップを拘束保持する第一係止部４１と第一係止部４１の係止を解く第一解除部４２とを有し、かつ、容器１００の筒部１０３に係止する第二係止部４３と第二係止部４３の係止を解く第二解除部４４とを有しカバーキャップがTEバンドに拘束保持された状態においては第二解除部４４がカバーキャップ４に覆われている【選択図】  図１
2006264711.tif 000002
【特許請求の範囲】
【請求項１】
筒部を有する容器の口部を覆いまたは開閉するためのカバーキャップと前記容器に係止して前記カバーキャップを拘束保持するTEバンドとを有する容器キャップにおいて、
前記TEバンドは、前記容器に係止しかつ前記カバーキャップを係止して前記カバーキャップを拘束保持する第一係止部と前記第一係止部の係止を解く第一解除部とを有し、かつ、前記容器の筒部に係止する第二係止部と前記第二係止部の係止を解く第二解除部とを有し
前記カバーキャップが前記TEバンドに拘束保持された状態においては前記第二解除部が前記カバーキャップに覆われていることを特徴とする容器キャップ。
【請求項２】
前記容器の前記筒部には外方に突出する突起を有し、前記第二係合部は前記TEバンドが前記筒部に嵌合しかつ前記突起との掛りにより係止されるように構成されていることを特徴とする請求項１記載の容器キャップ。
【請求項３】
前記第一解除部が易切り離し部で構成されていることを特徴とする請求項１から２のいずれか１に記載の容器キャップ。
【請求項４】
前記TEバンド上の前記第一解除部またはその近傍に操作つまみが設けられていることを特徴とする請求項１から３のいずれか１に記載の容器キャップ。
【請求項５】
前記第二解除部が不連続部または前記不連続部を形成するための易切り離し部で構成されていることを特徴とする請求項１から４のいずれか１に記載の容器キャップ。
【請求項６】
前記TEバンド上の前記第二解除部を構成する不連続部または易切り離し部を形成する部分またはその近傍に操作つまみが付されていることを特徴とする請求項５に記載の容器キャップ。
【請求項７】
前記突起が前記筒部の周状フランジであり、前記第二係止部が前記周状フランジに掛る状態で前記筒部に係止することを特徴とする請求項２から６のいずれか１に記載の容器キャップ。
【請求項８】
前記筒部が略円筒形状であり、前記第二係止部が前記筒部に係止することを特徴とする請求項１から７のいずれか１に記載の容器キャップ。
【請求項９】
略円筒形状を有する前記筒部が容器のノズル部であることを特徴とする請求項８に記載の容器キャップ。
【請求項１０】
前記周状フランジが容器のネックリングであることを特徴とする請求項７に記載の容器キャップ。
【請求項１１】
前記TEバンドの前記カバーキャップと前記容器とに係止される部分が平面略四角形状であることを特徴とする請求項１から１０のいずれか１に記載の容器キャップ。
【請求項１２】
前記カバーキャップとは別体をなしていて前記筒部に固定されて注出口と前記注出口を閉じる閉鎖部材とを有する中栓を有し、前記閉鎖部材にはプルリングが付設されていることを特徴とする請求項１から１１のいずれか１に記載の容器キャップ。
【請求項１３】
前記カバーキャップとは別体をなしていて前記筒部に固定されて注出口と前記注出口を閉じる閉鎖部材とを有する中栓を有し、前記カバーキャップは下端が前記閉鎖部材と筒部の中心線方向に接触してまたは対向間隔をおいて対向して配置されているカッターを有し、
前記カバーキャップは前記拘束保持される拘束保持位置を始端とし前記TEバンドが前記第一解除部及び前記第二解除部の作用により前記容器から外れた状態において前記カバーキャップが前記容器に直接に装着可能な容器装着位置を終端としかつ前記カッターが前記閉鎖部材を開封する相対位置を含む筒部の中心線方向の相対変位可能範囲の前記始端から前記終端まで変位可能であることを特徴とする請求項１から１１のいずれか１に記載の容器キャップ。
【請求項１４】
前記カバーキャップは天板から立ち下がっている栓体を有し、前記栓体は前記閉鎖部材を開封するカッターを構成していることを特徴とする請求項１３に記載の容器キャップ。
【請求項１５】
前記カバーキャップの前記栓体の下端は中空筒状をなしていて開封により切り離した閉鎖部材を収容して保持することが可能であることを特徴とする請求項１４に記載の容器キャップ。
【請求項１６】
前記対向間隔の大きさは前記相対変位可能範囲よりも小さいことを特徴とする請求項１３から１５のいずれか１に記載の容器キャップ。
【請求項１７】
前記カバーキャップは天板から立ち下がっている栓体を有し、前記栓体は前記カバーキャップの前記筒部の中心線方向の相対変位によって開口後の前記注出口に抜き差しされて前記注出口を開閉するように構成されたことを特徴とする請求項１２から１６のいずれか１に記載の容器キャップ。
【請求項１８】
前記TEバンドは下端部近傍に前記容器を一周するTEバンド基部と前記TEバンド基部と協働して前記カバーキャップを拘束保持する前記第一係止部の構成部分である抑えバンドとを有しかつ上端部近傍に前記筒部に嵌止して前記突起により前記筒部からの抜け出しを抑制される前記第二係止部の構成部分である嵌止用環と前記TEバンド基部と前記嵌止用環とを連結する連結部とを有し、
前記カバーキャップは前記筒部に嵌止した前記嵌止用環を覆い得る内部空間を有し、TE作用が可能な前記拘束保持位置と前記容器装着位置との容器上の２位置のうちの前記拘束保持位置ではTEバンドに保持されて容器に装着可能であり、前記容器装着位置では容器に直接に装着可能であり、
前記TEバンドの前記第一解除部を操作して第一係止部に永久変形または破断などの不可逆的状態変化を加えることによって前記TEバンドによる前記カバーキャップの拘束保持を解除することが可能であり、前記TEバンドの前記第二解除部を操作して前記TEバンドを前記筒部から離脱させることが可能であることを特徴とする請求項２から１７のいずれか１に記載の容器キャップ。
【請求項１９】
前記TEバンドの第一解除部は前記抑えバンド上に設けられた不連続部、易切り離し部、抑えバンドをTEバンド基部に切り離し可能に連結するブリッジその他の永久変形または破断などの不可逆的状態変化が可能な可状態変化部を備えたことを特徴とする請求項１８に記載の容器キャップ。
【請求項２０】
前記TEバンド上の不連続部、易切り離し部若しくは前記可状態変化部またはその近傍に設けられた操作つまみを備えていることを特徴とする請求項１９に記載の容器キャップ。
【請求項２１】
前記TEバンドの前記第二解除部は前記嵌止用環に一周する環の一部分を不連続にする不連続部、前記不連続部を形成するための易切り離し部で構成され、または前記嵌止用環に前記第一解除部の作用によって拘束保持を解除された前記カバーキャップを取り去った後に前記筒部上の前記突起から抜け出すことができるように変形可能にした変形可能構造部によって構成したことを特徴とする請求項１から２０のいずれか１に記載の容器キャップ。
【請求項２２】
前記嵌止用環の前記不連続部、前記易切り離し部若しくは前記変形可能構造部またはその近傍に操作つまみを設けたことを特徴とする請求項２１に記載の容器キャップ。
【請求項２３】
前記第一解除部の作用は前記カバーキャップを前記容器に対して回転変位させることにより行うことを特徴とする請求項１から２２のいずれか１に記載の容器キャップ。
【請求項２４】
前記カバーキャップは下端部から外方に嵌合用舌片が突出して有しており、TEバンドは前記第一係止部の構成部分である前記容器を一周するTEバンド基部と前記抑えバンドが上下に隣り合ってかつ同心状に配置されており、前記TEバンド基部と前記抑えバンドは前記容器回りの相対回転変位により切り離し可能な前記第一解除部であるブリッジで連結されており、前記カバーキャップは前記嵌合用舌片が前記抑えバンドに係合した状態で前記TEバンド基部と前記抑えバンドとの間に挿入された状態で前記TEバンドに拘束保持されており、前記カバーキャップをノズル部の中心線の回りに相対回転変位させるとき前記抑えバンドが随伴して回転変位して前記ブリッジを切断して前記不可逆的な状態変化を形成して前記第一係止部が解除されるように構成した請求項１から２３のいずれか１に記載の容器キャップ。
【請求項２５】
前記TEバンド基部には、嵌着している前記容器と係合して前記容器に対する前記ノズルの中心線回りの相対回転変位を抑制する供回り抑制部が形成されていることを特徴とする請求項２３から２４のいずれか１に記載の容器キャップ。
【請求項２６】
前記供回り抑制部は前記TEバンド基部の内面に形成されて嵌着している前記容器の隅角部に係合するリブまたは嵌着している前記容器の側面に係合するアンダーカットであることを特徴とする請求項２３から２５のいずれか１に記載の容器キャップ。
【請求項２７】
前記容器の周囲を連続して一周する前記TEバンド基部と前記抑えバンドとが協働してカバーキャップの下端部一周を挟んで前記カバーキャップを拘束保持する第一の係止部を構成し、前記抑えバンドに一周の連続を断つ不連続部を形成可能な前記第一解除部を設けていることを特徴とする請求項１８から２２のいずれか１記載の容器キャップ。
【請求項２８】
前記容器の周囲を連続して一周する前記TEバンド基部と前記抑えバンドとの間にカバーキャップの下端部一周を挟んでかつ周上の複数個所でカバーキャップとTEバンド基部とをアンダーカットによって嵌合させ、前記カバーキャップ上に設けられた係合枠に弾性変形して係合して前記カバーキャップの外側で前記カバーキャップの前記アンダーカット嵌合からの抜け出しを拘束する抜け出し防止係合部を前記抑えバンド上に構成した前記第一係止部を構成し、前記係合枠を破断して前記カバーキャップの拘束保持を解除するように第二解除部を構成したことを特徴とする請求項１８から２２のいずれか１記載の容器キャップ。
【発明の詳細な説明】
【技術分野】
【０００１】
この発明はソースや調味料などの液体内容物を収容する容器に関するものであり、特にTE性（タンパーエビデント性−いたずら防止性）をも持つことができる容器キャップに関するものである。
【背景技術】
【０００２】
液体内容物を収容する容器では、開封前後の封止性能を向上させるために複合キャップを使用する。複合キャップは中栓及びそれを覆うカバーキャップからなっていて、中栓は容器口部に装着され、その注出口は中栓と一体となす薄膜状の閉鎖部材で封止されていて、開封の場合はその閉鎖部材を切り離して注出口を開口させる。注出口の開口後は、中栓を覆うようにカバーキャップを容器に装着して注出口を閉じ、内容物の外気との遮断、外部への液漏れ防止を図る。これの易開封性を図るためには、閉鎖部材の周囲にスコアーを設けたり、閉鎖部材の上面にプルリングを取り付けたりする。
【発明の開示】
【発明が解決しようとする課題】
【０００３】
次に、最近はいたずら開封を防止するためのTE（タンパーエビデント）に対する要求が高まっており、容器口部とこれに装着するキャップとの間にTEバンドを設け、このTEバンドを切り取らなければ容器からキャップを取りはずせない構造とするものが開発されてきている。
このようなTE機能を持つ容器キャップとしては次のようなものがある。
【０００４】
【特許文献１】特開２０００−３３５６１１
【特許文献２】特開２００３−９５３１０
【特許文献３】特開２００４−２３８０４５
【特許文献４】特開２００４−２７６９５８
【０００５】
このうち特許文献１に示す容器キャップは中栓に相当する装着筒３とカバーキャップに相当するキャップ１６との間に、子供の力では反転させることのできない操作部１１を設けて、子供による不正開閉を防止するものである。次に特許文献２に示す容器キャップは容器とキャップを係止させるロック用の係合爪をペンチ等で分断しなければ開封できないとする構造のものであるが、これは剛性のある金属製の容器に用いるキャップで、容器もキャップも円筒形をなす場合である。
【０００６】
特許文献３に示す容器キャップは、キャップとTEバンドを易切り離し部で連結したもので、TEバンドを四角形容器に嵌着し、開封時には、キャップを回して易切り離し部をねじ切る必要があるので、不正開封を検知することができるものである。TEバンドには容器に固定するための供回り防止フラップが設けられている。
【０００７】
特許文献４に示す容器キャップでは、上蓋とその下方のTEバンドとを易破断性のつなぎリブで接続し、開封時には上蓋を回してつなぎリブをねじ切る必要があるので、不正開封を検知することができるものである。TEバンドには供回り防止のラチェットが設けられている。
【０００８】
しかるに、このようなキャップのTE機構は一般に装着するためには、相当の強度が必要で、その装着強度が不足すると、組み合わさってTE機能を発揮しているTE構成部材とキャップが、力の負荷によって変形して組み合わさったまま容器から外れることがある。容器が円筒状で、これに装着されるTE構成部材とキャップが共に円筒形である場合には、装着強度が相当に大きいものであるが、容器、TE構成部材及びキャップが角筒状の場合は、容器の中心線回りのねじり回動を生じるような力の負荷に対しては構造的に変形し易く、容器から外れ易く、TE機能を発揮できない場合がある。この角筒状の容器及びキャップはソースなどの液体内容物を充填する容器として需要が多い。
【０００９】
上記の特許文献に示されたTE機能を持つ容器キャップのうち、特許文献１、２及び４に示された容器キャップは、円筒状容器また円筒状ノズルの範囲についてだけ適用される技術である。
【００１０】
特許文献４に示された容器キャップは、多角形状容器に適用されるものであるが、TEバンドの撓み変形で容器から外れることも考えられる。
【００１１】
この発明は上記の如き事情に鑑みてなされたものであって、確実にTE機能を実現させることができるとともに、角筒状容器胴を有する容器に対しても適用することができるTE機能を持つ容器キャップを提供することを目的とするものである。
【課題を解決するための手段】
【００１２】
この目的に対応して、この発明の容器キャップは筒部を有する容器の口部を覆いまたは開閉するカバーキャップと前記容器の外面に係止して前記カバーキャップを拘束保持するTEバンドとを有する容器キャップにおいて、前記TEバンドは、前記容器に係止しかつ前記カバーキャップに係止して前記カバーキャップを拘束保持する第一係止部と前記第一係止部の係止を解く第一解除部とを有し、かつ、前記容器の筒部に係止する第二係止部と前記第二係止部の係止を解く第二解除部とを有し前記カバーキャップが前記TEバンドに拘束保持された状態においては前記第二解除部が前記カバーキャップに覆われていることを特徴としている。
【発明の効果】
【００１３】
請求項１に記載した発明の容器キャップでは、容器筒部を覆うカバーキャップとカバーキャップを拘束保持してTE機能を発揮するTEバンドを組み合わせて容器に装着して使用するが、TEバンドにおけるカバーキャップを拘束保持しTE機能を発揮する第一係止部とTEバンドを容器に連結する第二係止部とに分割し、第二係止部をカバーキャップで覆い隠す構造としたので、第一係止部を破壊して、カバーキャップを外さなければ、第二係止部を外すことができない。この第一係止部の不可逆的状態変化をもたらす変形・破壊を検視してTE機能を発揮することができる。一方、TEバンドと容器との連結は円筒状の容器筒部を利用して行うので、TEバンドのカバーキャップに覆われている部分を撓み変形させて回しても筒部から外すことができない。こうしてTE機能を確実に発揮させることができる。
【００１４】
請求項２に記載した発明の容器キャップでは、第二係止部の容器筒部への連結に容器筒部に突出した突起を利用するので第二係止部の筒部からの抜け出し防止を一層確実にすることができる。
【００１５】
請求項３に記載した発明の容器キャップでは、TEバンドの第一解除部が易切り離し部で構成されているので正常開封時の操作が容易である。
【００１６】
請求項４に記載した発明の容器キャップでは、第一解除部またはその近傍に操作つまみが設けられているので、正常開封時の開封操作が一層容易である。
【００１７】
請求項５に記載した発明の容器キャップでは、第二解除部が不連続部または易切り離し部で構成されているので、正常開封操作時の第二解除部の取り外しが容易である。
【００１８】
請求項６に記載した発明の容器キャップでは、第二解除部またはその近傍に操作つまみが設けられているので、操作が容易である。
【００１９】
請求項７に記載した発明の容器キャップでは、筒部の突起が筒部の周状フランジを利用するので、第二係止部の係止が確実である。
【００２０】
請求項８に記載した発明の容器キャップでは、筒部が円筒形状であるので、TEバンドが容器筒部を軸に回転しても第二係止部が不正開封時に外れることがない。
【００２１】
請求項９に記載した発明の容器キャップでは、第二係止部が容器のノズル部であるので、容器に特別の構造のものを採用しなくても、従来の容器をそのまま利用して第二係止部を形成することができる。
【００２２】
請求項１０に記載した発明の容器キャップでは、ネックリングを利用して係止するので、容器に特別の構造のものを採用しなくても、従来の容器をそのまま利用して第二係止部を形成することができる。
【００２３】
請求項１１に記載した発明の容器キャップでは、TEバンドの基部が四角形状をなして四角筒状の容器に使用することができるので、従来の容器にそのまま使用することができる。
【００２４】
請求項１２に記載した発明の容器キャップでは、中栓の閉鎖部材にプルリングが取り付けられているので、開封が容易である。
【００２５】
請求項１３に記載した発明の容器キャップでは、カバーキャッププッシュオープン型中栓を取り付ける場合にも使用することができる。
【００２６】
請求項１４に記載した発明の容器キャップでは、天板から立ち下がっている栓体が中栓の閉鎖部材を開封するカッターとしても機能するので、閉鎖部材の開封及び開封後の注口の開封が容易かつ確実である。
【００２７】
請求項１５に記載した発明の容器キャップでは、開封操作によって分離した閉鎖部材がカバーキャップに保持されるので、閉鎖部材の処理が容易である。
【００２８】
請求項１６に記載した発明の容器キャップでは、閉鎖部材とカッターの対向間隔よりも相対変位可能範囲の方が大きいので、カバーキャップを相対変位させることによって、カッターを閉鎖部材に当接させて、閉鎖部材を開封させることができる。
【００２９】
請求項１７に記載した発明の容器キャップでは、栓体が直線変位して注出口に抜き差しされるので、注出口の開閉が容易である。
【００３０】
請求項１８に記載した発明の容器キャップでは、第一解除部を不可逆的状態変化可能な構造としたので、不正開封の痕跡を視認することが容易である。
【００３１】
請求項１９に記載した発明の容器キャップでは、第一解除部をブリッジ等の可状態変化部で構成するので、不正開封の検知が容易である。
【００３２】
請求項２０に記載した発明の容器キャップでは、不可逆的状態変化部またはその近傍に操作つまみを設けたので、第二解除部の解除が容易である。
【００３３】
請求項２１に記載した発明の容器キャップでは、第二解除部を不連続部、易切り離し部、変形可能構造部で構成するので、容器ノズルへの係止が確実であり、かつ解除を容易にする。
【００３４】
請求項２２に記載した発明の容器キャップでは、第二解除部に操作つまみを設けたので、第二解除部の解除操作が容易である。
【００３５】
請求項２３に記載した発明の容器キャップでは、第一解除部の作用をカバーキャップを容器に対して回転変位させることにより行うので、解除の構造と操作を容易にすることができる。
【００３６】
請求項２４に記載した発明の容器キャップでは、TEバンド基部と抑えバンドがブリッジで連続して、その間にカバーキャップの嵌合用舌片が挟み込まれているので、カバーキャップを回すことによって、ブリッジを切断しなければ不正開封ができないので、不正開封の検出が容易である。
【００３７】
請求項２５に記載した発明の容器キャップでは、TEバンド基部に供回り抑制部が形成されているので、ブリッジの切断が容易である。
【００３８】
請求項２６に記載した発明の容器キャップでは、供回り抑制部が容器に係合するリブまたはアンダーカットで構成されているので、供回り抑制部の構成が簡単で、かつその作用が確実である。
【００３９】
請求項２７に記載した発明の容器キャップでは、TEバンド基部の外側に抑えバンドを配置してカバーキャップの下端部を挟持させ、かつその抑えバンドに易切り離し部からなる第二解除部を設けたので、その易切り離し部の切り離しを視認して、不正開封を容易に検出することができる。
【００４０】
請求項２８に記載した発明の容器キャップでは、第一係止部をカバーキャップと抑えバンドとの間に抜け出し防止係合部として設け、この抜け出し防止係合部に第一解除部としての易切り離し部を設けたので、その易切り離し部の切り離しを視認して、不正開封を容易に検出することができる。
【発明を実施するための最良の形態】
【００４１】
以下、この発明の詳細を図面を参照して説明する。
まず第１の実施形態について説明する。
図１において、１ａはこの発明の第１の実施態様に係る容器キャップである。容器キャップ１ａは、容器１００に装着されて使用されるものである。容器１００は容器胴部１０１の上端に肩部１０２を介して筒部１０３を有しており、筒部１０３の上端が注口１０４として開口している。筒部１０３の途中には筒部１０３から突出する突起１０５を有する。筒部１０３は容器ノズルまたは容器口部であることもあり、突起１０５は筒部１０３を一周するつば状のネックリングである場合もある。このネックリングは充填機等で容器１００を把持したり取り扱うための係合部として機能するものである。
【００４２】
筒部１０３は角筒状または円筒状であり、一方、容器胴部１０１は円筒状または多角筒状をなすが、この実施例では筒部１０３は円筒状であり、容器胴部１０１は四角筒状である。
肩部１０２の下部に外方に突出する嵌合用アンダーカット１０６が形成されており、さらにその下方に抑え肩部１０７が形成されている。筒部１０３の上端には中栓３が装着されて開口部を閉じている。
【００４３】
容器キャップ１ａはカバーキャップ４ａ及びTEバンド５ａとから成っている。
【００４４】
中栓３は周縁から立ち下がっている脚筒７ａとを有している。この実施態様では中栓３としてプルオープン型の中栓３ａが用いられている。
中栓３ａは脚筒７ａの下端部の内側には取り付け用のアンダーカット部８ａが内方に突出しており、このアンダーカット部８ａが筒部１０３の突起１０５の上方で容器１００の筒部１０３の外方に突出するアンダーカット部１０９に嵌合することによって中栓３（３ａ）は容器１００に固定する。
【００４５】
中栓３ａの中央部には液案内筒１２ａが形成されている。この液案内筒１２ａは内部に注出口１３ａを形成し、また注口１０４から流れ出た内容液を案内する機能をもつものである。液案内筒１２ａの内部には注出口１３ａを閉じるように横断して薄膜状のスコアー１５ａを有する閉鎖部材１４ａが設けられている。閉鎖部材１４ａは周縁部のスコアー１５ａを介して液案内筒１２ａと一体に連結している。閉鎖部材１４ａの上面にはプルリング１０ａが取り付けられている。
【００４６】
一方カバーキャップ４ａはカバーキャップ天板２１ａとそのカバーキャップ天板２１ａの周縁から立ち下がっているカバーキャップ脚筒２２ａを有している。カバーキャップ脚筒２２ａの下端部の四辺の内側には取り付け用のアンダーカット部２３ａが内方に突出しており、このアンダーカット部２３ａが後述するTEバンド５ａの肩部から延出する受け環５２ａの外方に突出する嵌合用アンダーカット４６ａに嵌合することによってカバーキャップ４ａは中栓３ａを覆った状態で容器１００に未開封時の拘束保持位置で脱着可能に装着する。なおTEバンド５ａの受け環５２ａの嵌合用アンダーカット４６ａの直下にはTEバンド基部の受け面３７ａが設けられている。
【００４７】
カバーキャップ天板２１ａの中央部の内面から栓体３３ａが同心状になって下方に延長している。
TEバンド５は下部の第一係止部４１ａと第一解除部４２ａ、上部の第二係止部４３ａと第二解除部４４ａ及び両者をつなぐ連結部４５ａとを有する。第一係止部４１ａはTEバンド５ａがカバーキャップ４ａを拘束保持するための部分であり、第一解除部４２ａはその拘束保持を解く部分である。第二係止部４３ａはTEバンド５ａを容器筒部１０３に係止させるための部分であり、第二解除部４４ａはその係止を解く部分である。
【００４８】
第二係止部４３ａは嵌合部４７ａを有し、嵌合部４７ａは容器の突起１０５、例えば筒部１０３の周囲を一周するネックリングの下方で筒部１０３の外周に嵌合する環状をなしていて、環状のなす嵌合部４７ａには第二解除部４４ａを構成する切り離した不連続部４８ａまたはその不連続部４８ａを形成するための易切り離し部を設けてある。
【００４９】
第一係止部４１ａは基部４９ａを有し基部４９ａは容器１００の肩部１０２の下端の周囲を一周して容器１００に嵌着している。連結部４５ａは図４に示すように、間欠的に配置された複数の線状体または帯状体をなす連結材５１ａからなっていて、それぞれの連結材５１ａは中心寄りの部分で嵌合部４７ａに連結し、周辺寄りの部分で基部４９ａに連結する。
【００５０】
基部４９ａは容器１００の肩部１０２の四角形の下端の周囲を一周する平面略四角形の環状をなすが、上部にカバーキャップ４ａの脚筒２２ａの下端３６ａを乗せることができる受け面３７ａを有し、また下端には容器１００の抑え肩部１０７に乗ることができる底面３８ａを有する。受け面３７ａから底面３８ａまでの相対変位方向の距離ｈ２は、この実施例の場合はカバーキャップ４ａの相対変位可能範囲ｃを構成する。基部４９ａの内面には対容器嵌合用アンダーカット５３ａが内方に突出して形成されている。
【００５１】
基部４９ａの上で基部４９ａと同心上に重なって抑えバンド５４ａが一周して配置されている。抑えバンド５４ａと基部４９ａとは第一解除部４２ａを構成するブリッジ５５ａ（図３）で連結していて、このブリッジ５５ａは基部４９ａと抑えバンド５４ａとの容器１００周りの相対回転変位によって切り離し可能である。抑えバンド５４ａの下面に嵌合用溝５６ａが形成されており、この嵌合用溝５６ａは受け面３７ａ上に乗っているカバーキャップ４ａの下端から延出しているつば状の嵌合用舌片５７ａを嵌合させ、この状態でカバーキャップ４ａを基部４９ａ、受け環５２ａと協働して相対変位可能範囲ｃの始端ａに拘束保持する。このときカバーキャップ４ａの下端のアンダーカット部２３ａは受け環５２ａの嵌合用アンダーカット４６ａと嵌合している。
【００５２】
TEバンド５ａの第二解除部４４ａの嵌合部４７ａ上の不連続部４８ａの近傍には操作つまみ５９ａ（図５）を設けてもよい。また第一の係止部４２ａの抑えバンド５４ａ上に操作つまみを設けてもよい。
【００５３】
このように構成された容器キャップ１ａにおける開封操作は次の通りである。
図１０、図１１に示すように、未開封の状態において、カバーキャップ４ａはTEバンド５ａの第一係止部４１ａによって拘束保持されて容器１００に装着されている（図１０（ａ）、図１１（ａ））。TEバンド５ａは押し込みによって容器１００に装着され、このとき、TEバンド５ａの第二の係止部４３ａの嵌合部４７ａは突起１０５例えばネックリングの下方で筒部１０３例えば容器ノズルに嵌合し、第一係止部４１ａの基部４９ａは対容器嵌合用アンダーカット５３ａで容器１００の嵌合用アンダーカット１０６と係合して、底面３８ａは容器１００の肩部１０２の抑え肩部１０７に乗っている。これにより、例えTEバンド５ａが筒部１０３の周りに回転することがあっても、嵌合部４７ａがネックリング等の突起１０５で抑えられているので、TEバンド５ａが容器１００から抜け出すことはない。
【００５４】
カバーキャップ４ａは中栓３（３ａ）及び第二係合部４３ａを覆った状態でTEバンド５ａに嵌合することによって容器１００に装着される。このとき、カバーキャップ４ａの下端はTEバンド５ａの基部４９ａの受け面３７ａ上に載置し、アンダーカット部２３ａは基部４９ａの嵌合用アンダーカット４６ａと嵌合し、嵌合用舌片５７ａは抑えバンド５４ａの嵌合用溝５６ａに嵌合している。
【００５５】
この状態から開封操作が行われる。
まずカバーキャップ４ａを容器１００周りにねじるように回転させると、その回転は嵌合用舌片５７ａから抑えバンド５４ａの嵌合用溝５６ａを介して抑えバンド５４ａを回転させる。この回転により基部４９ａとの間に相対回転変位を生じ、ブリッジ５５ａが切れ（図１０（ｂ））、不可逆的状態変化となり、抑えバンド５４ａが分離する（図１０（ｃ））。
【００５６】
次にカバーキャップ４ａを外す（図１０ｃ、図１１ｂ）。次にTEバンド５ａを容器１００から分離する（図１０ｄ、図１１ｃ）。この場合にはTEバンド５ａの第二解除部４４ａの連結部４５ａの不連続部４８ａを押し開き、基部４９ａを容器１００に対して相対回転させるなどして撓ませて持ち上げ連結部４５ａを容器１００のノズルである筒部１０３から外し、併せて基部４９ａを容器１００から外す。これによりTEバンド５の全体を容器１００から外すことができる。次にプルリング１０ａを引き上げて、閉鎖部材を切り取る（図１０ｅ）。これにより中栓３（３ａ）の液案内筒１２ａは開口する（図１０ｆ）。次に再び容器１００にカバーキャップ４ａをかぶせて押し下げる。カバーキャップ４ａはその下端部が容器１００の抑え肩部１０７に当接するまで下降して容器装着位置に達するので、容器１００に直接嵌着し、栓体３３ａが中栓３ａの注出口１３ａを閉じる（図１０ｇ、図１１ｅ）。
【００５７】
このように構成された容器キャップ１ａでは、カバーキャップ４ａを外すためにはTEバンド５ａを外さなければならず、そのためには基部４９ａと抑えバンド５４ａを連結しているブリッジ５５ａを切断しなければならないので、この切断をもって不可逆的状態変化である痕跡により不正開封を検知することができる。TEバンド５ａは嵌合部４７ａで容器ノズル１０３に嵌合しているが、この嵌合部４７ａはネックリング１０５等の突起で抑えられているので、嵌合部４７ａを外すには嵌合部４７ａを開かなければならず、これを開くためには第二解除部４４ａの嵌合部４７ａの不連続部４８ａを開かなければならない。この不連続部４８ａの部分を連結し、ミシン目、弱め線を設けて易切り離し部とした場合には、この易切り離し部を切断しなければならないので、カバーキャップを外さない状態ではTEバンドを抜き取ることは不可能である。
【００５８】
抑えバンド５４ａを外さなければ仮にTEバンド５ａ及び抑えバンド５４ａが外力による変形によって容器１００の嵌合用アンダーカット１０６から外れても、嵌合部４７ａは容器１００の筒部１０３の周りを回転するのみで、ネックリング等の突起１０５から外れることはない。TEバンド内周に内方突起を設け、筒部外面にそれをはめ込む凹部を設けてもよいが、容器側の突起であるネックリングはもともと充填機等において容器１００の取り扱いのために必ず設けられるものであるので、これを不正開封防止に利用することによってTEを実現しつつも、容器キャップ１ａの構成部材数を増加させたり、設計変更させることはない。
さらに栓体３３ａが開封後の注出口１３ａを開閉するので液漏れ防止機能が確実である。
【００５９】
図１２から図２０には第１の実施態様の他の形態に係る容器キャップ１ａｂが示されている。この、他の形態の容器キャップ１ａｂでは中栓３（３ｂ）の閉鎖部材の構成及びそれを開封するための構造が第１の実施態様と異なっていて、かつこれに対応してカバーキャップ４ａｂの内部の構造が異なっている。他の構成は第１の実施態様の容器キャップ１ａと同じである。すなわち、図１２に示すように、ここでは中栓としてプッシュオープン型（押し切り開口型）の中栓３ｂが用いられている。
【００６０】
中栓３ｂの中栓天板部６ｂの中央部には中栓天板部６ｂを貫通して液案内筒１２ｂが中栓天板部６ｂと一体に形成され、液案内筒１２ｂの内部には注出口１３ｂを閉じるように横断して薄膜状のスコアー１５ｂを有する閉鎖部材１４ｂが設けられている。閉鎖部材１４ｂは周縁部のスコアー１５ｂを介して液案内筒１２ｂと一体に連結している。閉鎖部材１４ｂの上面からは係止筒１６ｂが立ち上がっている。この係止筒１６ｂは後述するカバーキャップ４ａｂの保持筒３２ａｂと連結するためのもので、係止筒１６ｂの内面には係止用アンダーカット１７ｂが内側に突出して設けられている。
プルリングは設けられていない。
【００６１】
一方カバーキャップ４ａｂはカバーキャップ天板２１ａｂの中央部の内面からは保持筒３２ａｂとその外側に栓体３３ａｂが同心状になって下方に延長している。保持筒３２ａｂは中栓３ｂの係止筒１６ｂと係合して、閉鎖部材１４ｂを保持するためのもので、保持筒３２ａｂの外方向きの面には係止用アンダーカット３４ａｂが形成されていて、係止筒１６ｂの係止用アンダーカット１７ｂと係止可能である。栓体３３ａｂの下端は押し切り用の先端を持ったカッター３５ａｂを構成していて、閉鎖部材１４ｂに液案内筒１２ｂの中心線と一致する相対変位方向１９に対向間隔ｈ１を隔てて対向していて、カッター３５ａｂが閉鎖部材１４ｂに向かって相対変位方向１９に相対変位することによって、閉鎖部材１４ｂに当接し、さらに下降することによってカッター３５ａｂはスコアー１５ｂから閉鎖部材１４ｂを押し切ることになる。栓体３３ａｂの下端の中空部は切り離した閉鎖部材１４ｂを持つ係止筒１６ｂを収容可能である。カッター３５ａｂはカバーキャップ４ａｂと一体であるからカッター３５ａｂの変位はカバーキャップ４ａｂを相対変位させることによって生起される。カバーキャップ４ａｂの相対変位は相対変位可能範囲ｃの始点ａ及び終点ｂ（図１参照）の間で可能である。相対変位可能範囲ｃは未開封時の容器上装着位置であるカッター３５ａｂが閉鎖部材１４ｂと対向間隔ｈ１を保っている位置である始端（図１２の左半部に示されている状態をなす位置）から開封後の容器上装着位置であるカバーキャップ４ａｂが容器１００に当接してそれ以上は変位が不可となる終端（図１２の右半部に示される状態をなす位置）までであり、この相対変位可能範囲内にはカッター３５ａｂが閉鎖部材を開封するカバーキャップ４ａｂの相対位置が含まれる。相対変位可能範囲ｃとTEバンド５ａｂの基部４９ａｂの幅ｈ２との大きさの関係では、ｃ＞ｈ２、ｃ＜ｈ２及びｃ≒ｈ２の場合もあるが、図１２に示す実施態様の場合は相対変位可能範囲ｃの大きさは基部４９ａｂの幅ｈ２と等しい。また栓体３３ａｂの外側に同心状に嵌合案内筒５８ａｂが設けられて、カバーキャップ４ａｂを容器１００および中栓３ｂへの案内を容易にする。
【００６２】
カッター３５ａｂは閉鎖部材１４ｂに前記のように対向間隔ｈ１を隔てて対向している構成の他に、カッター３５ａｂは閉鎖部材１４ｂに接触している構成でもよい。
【００６３】
このように構成された容器キャップ１ａｂにおける開封操作は次の通りである。
図２０に示すように、未開封の状態において、カバーキャップ４ａｂはTEバンド５ａｂによって容器１００に装着されている（図２０ａ）。
【００６４】
この状態から開封操作が行われる。
TEバンド５ａｂの第一係止部４１ａｂの第一解除部４２ａｂを解除してカバーキャップ４ａｂを外し（図２０ｂ）、次に第二解除部４４ａｂを解除してTEバンド５ａｂを外す（図２０ｃ）。次に再び容器１００にカバーキャップ４ａｂをかぶせて押し下げる。カバーキャップ４ａｂはその下端部が容器１００の抑え肩部１０７に当接する容器装着位置まで下降するので、この間にカッター３５ａｂが中栓３ｂの閉鎖部材１４ｂのスコアー１５ｂを押し抜き、注出口１３ｂを開口させると共に栓体３３ａｂが注出口１３ｂを閉じる（図２０ｄ）。打ち抜いた閉鎖部材１４ｂは係止筒１６ｂと共にカバーキャップ４ａｂの保持筒３２ａｂに保持される。容器１００の内容液を注出するときには、カバーキャップ４ａｂを外して注出口１３ｂを開ける。なお、この実施形態では、TEバンド５ａｂに第一の実施形態の操作つまみ５９ａは設けていないので、直接不連続部４８ａｂを手で開けることになる。
【００６５】
次に第２の実施形態について説明する。
図２１から図２９において、１ｂはこの発明の第２の実施態様に係る容器キャップである。容器キャップ１ｂは、容器１００に装着されて使用されるものである。
容器キャップ１ｂはカバーキャップ４ｂ及びTEバンド５ｂとから成っている。
【００６６】
カバーキャップ４ｂはカバーキャップ脚筒２２ｂの下端部の四辺の内側には取り付け用のアンダーカット部２３ｂが内方に突出しており、このアンダーカット部２３ｂが後述するTEバンド５ｂの肩部の外方に突出する嵌合用アンダーカット４６ｂに嵌合することによってカバーキャップ４ｂはプッシュオープン型の中栓３ｂを覆った状態で容器１００に未開封時の容器上装着位置で脱着可能に装着する。なおTEバンド５ｂの肩部の嵌合用アンダーカット４６ｂの直下には受け面３７ｂが設けられている。
【００６７】
TEバンド５ｂは上部の嵌合部４７ｂと下部の基部４９ｂと両者をつなぐ連結部４５ｂとを有する。基部４９ｂの内面には嵌合用アンダーカット４６ｂが内方に突出して形成されている。また基部４９ｂには不連続部４８ｂが設けられている。この不連続部４８ｂは連結部４５ｂの間欠部６１ｂを介して嵌合部４７ｂの不連続部６２ｂと対応している。
【００６８】
基部４９ｂの周囲を囲繞して抑えバンド５４ｂが一周して配置されている。抑えバンド５４ｂの上部内面に嵌合用溝６３ｂが形成されており、この嵌合用溝６３ｂのあご６６ｂは受け面３７ｂ上に乗っているカバーキャップ４ｂの下端の嵌合用舌片５７ｂを嵌合させ、この状態でカバーキャップ４ｂを基部４９ｂと協働して相対変位可能範囲ｃの始端ａに保持する（図１参照）。このときカバーキャップ４ｂの下端のアンダーカット２３ｂは基部４９ｂの上部の嵌合用アンダーカット４６ｂと嵌合している。抑えバンド５４ｂは連結部分６４ｂにおいて不連続部４８ｂの近傍で基部４９ｂと連結している。またこの不連続部４８ｂの近傍で抑えバンド５４ｂに操作つまみ６５ｂが設けられている。
【００６９】
このように構成された容器キャップ１ｂにおける開封操作は次の通りである。
図２９に示すように、未開封の状態において、カバーキャップ４ｂはTEバンド５ｂによって容器１００に装着されている。
【００７０】
カバーキャップ４ｂは中栓３ｂを覆った状態でTEバンド５ｂに嵌合することによって容器１００に装着される。このとき、カバーキャップ４ｂの下端のアンダーカット２３ｂは基部４９ｂの嵌合用アンダーカット４６ｂと嵌合し、嵌合用舌片５７ｂは抑えバンド５４ｂの嵌合用溝５６ｂのあご６６ｂに嵌合している（図２９ａ）。
【００７１】
この状態から開封操作が行われる。
まず抑えバンド５４ｂの操作つまみ６５ｂを外側に引くと、嵌合用溝６３ｂのあご６６ｂがはずれて抑えバンド５４ｂがTEバンド５ｂの基部４９ｂから離れ、これによりカバーキャップ４ｂに対する係合が解け、カバーキャップ４ｂは取り外し可能となる。これと同時に、TEバンド５ｂには不連続部６２ｂ、間欠部６１ｂ及び不連続部４８ｂが連なって基部４９ｂから嵌合部４７ｂに達する切り離し用の溝が開設され、これによってTEバンド５ｂは容器１００の筒部１０３から取り外し可能となる。
【００７２】
次にカバーキャップ４ｂを外す（図２９ｂ）。次にTEバンド５ｂを容器１００から分離する（図２９ｃ）。次に再び容器１００にカバーキャップ４ｂをかぶせて押し下げる。カバーキャップ４ｂはその下端部が容器１００の抑え肩部１０７に当接するまで下降するので、この間にカッター３５ｂが中栓３ｂの閉鎖部材１４ｂを打ち抜き、注出口１３ｂを開口させると共に栓体３３ｂが注出口１３ｂを閉じる（図２９ｄ）。打ち抜いた閉鎖部材１４ｂは係止筒１６ｂと共にカバーキャップ４ｂの保持筒３２ｂに保持される。容器１００の内容液を注出するときには、カバーキャップ４ｂをはずして注出口１３ｂを開ける。
【００７３】
（第３の実施形態）
図３０から図３６にはこの発明の第３の実施形態にかかわる容器キャップ１ｃが示されている。
この容器キャップ１ｃはカバーキャップ４ｃの取り外しの操作とTEバンドの取り外しの操作とを互いに別種類の操作とし、そのための構造も別の構造とした点で第２の実施態様の容器キャップ１ｂと相違している。すなわち、図３０において１ｃは容器キャップである。容器キャップ１ｃは中栓３ｂ、カバーキャップ４ｃ及びTEバンド５ｃとから成っている。中栓３ｂの構造は第２の実施態様に係る容器キャップ１ｂについて前述した中栓３ｂと同じ構造である。カバーキャップ４ｃは前述のカバーキャップ４ｂとほぼ同じ構造であるが、後述するTEバンド５ｃの延出する操作つまみ６７ｃと干渉をするのを避けるために、操作つまみ６７ｃを通す切り欠き６８ｃを嵌合案内筒５８ｃに設け、また、カバーキャップ４ｃの下端の外面に間隙７１ｃを置いてカバーキャップつまみ部７２ｃを設けている点で相違している。
【００７４】
すなわちカバーキャップ４ｃの下端の外面には間隙７１ｃを置いてカバーキャップつまみ部７２ｃが設けられており、カバーキャップつまみ部７２ｃは側端部７３ｃでカバーキャップ４ｃの脚筒２２ｃの下端外面に固着している。一方、TEバンド５ｃは上端部の嵌合部４７ｃと下部の基部４９ｃと両者をつなぐ連結部４５ｃとを有する。嵌合部４７ｃは筒部１０３の外周を一周し突起１０５の下方で筒部１０３の外周に嵌合する環状をなしていて、環状の嵌合部４７ｃには易切り離し部７４ｃを設けてある。基部４９ｃは容器１００の肩部１０２の下端の周囲を一周して容器１００に嵌着している。連結部４５ｃは嵌合部４７ｃと基部４９ｃを連結する。嵌合部４７ｃの易切り離し部７４ｃの近傍からは前記操作つまみ６７ｃが延出している。
【００７５】
基部４９ｃは容器１００の肩部１０２の四角形の下端の周囲を一周する平面四角形の環状をなすが、上部にカバーキャップ４ｃの下端３６ｃを乗せることができる受け面３７ｃを有し、また下端には容器１００の抑え肩部１０７に乗ることができる底面３８ｃを有する。受け面３７ｃから底面３８ｃまでの相対変位方向の距離ｈ２は、この実施例の場合はカバーキャップ４ｃの相対変位可能範囲ｃを構成する。基部４９ｃの上端には嵌合用アンダーカット４６ｃが外方に突出して形成されている。
【００７６】
TEバンド５ｃの基部４９ｃの上方には鎖錠突起７５ｃが立ち上がっていて、鎖錠突起７５ｃの上部外面からは鎖錠係止突起７６ｃが外方に突出している。        
このように構成された容器キャップ１ｃにおける開封操作は次の通りである。
【００７７】
TEバンド５ｃは押し込みによって容器１００に装着され、このときTEバンド５ｃの嵌合部４７ｃは突起１０５の下方で筒部１０３に嵌合し、基部４９ｃは対容器嵌合用アンダーカット５３ｃで容器１００の嵌合用アンダーカット１０６と係合して底面３８ｃは容器１００の抑え肩部１０７に乗っている。これにより例えTEバンド５ｃが筒部１０３の周りに回転することがあっても、嵌合部４７ｃが突起１０５で抑えられているので、TEバンド５ｃが容器１００から抜け出すことはない。
【００７８】
カバーキャップ４ｃは中栓３ｂを覆った状態で TEバンド５ｃに嵌着することによって容器１００に装着される。このときカバーキャップ４ｃの下端はTEバンド５ｃの基部４９ｃの受け面３７ｃ上に載置し、アンダーカット２３ｃは基部４９ｃの嵌合用アンダーカット４６ｃに嵌合している。かつこのとき、TEバンド５ｃの鎖錠突起７５ｃはカバーキャップ４ｃの間隙７１ｃに差し込まれていて、鎖錠係止突起７６ｃがカバーキャップつまみ部７２ｃの上端に係止して拘束保持されている。
【００７９】
この状態から開封操作が行われる。図３６ａに示すように、カバーキャップ４ｃが拘束保持された状態からカバーキャップつまみ部７２ｃを手前に引いて切り取ってTEバンド５ｃの鎖錠突起７５ｃを解放する。次にカバーキャップ４ｃをTEバンド５ｃから分離する（図３６ｂ）。次にTEバンド５ｃの操作つまみ６７ｃを持ち、易切り離し部７４ｃを切り、嵌合部４７ｃを開いて容器ノズルである筒部１０３から分離する（図３６ｃ）。次にカバーキャップ４ｃを押し込み、スコアー１５ｂを打ち抜く。中栓３ｂの閉鎖部材１４ｂはカバーキャップ４ｃの保持筒３２ｃに保持される（図３６ｄ）。
最後にカバーキャップ４ｃを外して使用開始する。
【００８０】
このように構成された容器キャップ１ｃでは、カバーキャップ４ｃを不正に外すとカバーキャップのつまみ部７２ｃに痕跡が残るので、不正開封を検知することができる。また、この容器キャップ１ｃではカバーキャップ４ｃを不正に持ち上げてもTEバンド５ｃが突起１０５に引っ掛かり、カバーキャップ４ｃがTEバンド５ｃごとは抜けることはないので不正開封を防ぐことができる。
【図面の簡単な説明】
【００８１】
【図１】容器キャップの縦断面図。
【図２】容器キャップの平面図。
【図３】容器キャップの正面図。
【図４】容器キャップの底面図。
【図５】TEバンドの平面図。
【図６】TEバンドの底面図。
【図７】図５におけるＡ−Ａ断面図。
【図８】図５におけるＢ−Ｂ断面図。
【図９】容器キャップの開封後、再封止した状態を示す断面図。
【図１０】容器キャップの開封手順を示す斜視説明図。
【図１１】容器キャップの開封手順を示す断面説明図。
【図１２】容器キャップの縦断面図。
【図１３】容器キャップの平面図。
【図１４】容器キャップの正面図。
【図１５】容器キャップの底面図。
【図１６】TEバンドの平面図。
【図１７】TEバンドの底面図。
【図１８】図１６におけるＡ−Ａ断面図。
【図１９】図１６におけるＢ−Ｂ断面図。
【図２０】容器キャップの開封手順を示す断面説明図。
【図２１】容器キャップの縦断面図。
【図２２】容器キャップの底面図。
【図２３】容器キャップの平面図。
【図２４】容器キャップの正面図。
【図２５】TEバンドの平面図。
【図２６】TEバンドの底面図。
【図２７】図２５におけるＡ−Ａ断面図。
【図２８】図２５におけるＢ−Ｂ断面図。
【図２９】容器キャップの開封手順を示す断面説明図。
【図３０】容器キャップの縦断面図。
【図３１】容器キャップの平面図。
【図３２】容器キャップの正面図。
【図３３】容器キャップの底面図。
【図３４】TEバンドの底面図。
【図３５】TEバンドの縦断面図。
【図３６】容器キャップの開封手順を示す断面説明図。
【符号の説明】
【００８２】
１ａ、１ａｂ、１ｂ、１ｃ  容器キャップ
３、３ａ、３ｂ            中栓
４ａ、４ａｂ、４ｂ、４ｃ  カバーキャップ
５ａ、５ａｂ、５ｂ、５ｃ  TEバンド
６ｂ                      中栓天板
７ａ                      脚筒
８ａ                      アンダーカット部（中栓）
１０ａ                    プルリング
１２ａ、１２ｂ            液案内筒
１３ａ、１３ｂ            注出口
１４ａ、１４ｂ            閉鎖部材
１５ａ、１５ｂ            スコアー
１６ｂ                    係止筒
１７ｂ                    係止用アンダーカット
１９                      相対変位方向
２１ａ、２１ａｂ          カバーキャップ天板
２２ａ、２２ｂ、２２ｃ    カバーキャップ脚筒
２３ａ、２３ｂ            アンダーカット
３２ａｂ、３２ｃ          保持筒
３３ａ、３３ａｂ          栓体
３４ａｂ                  係止用アンダーカット
３５ａｂ                  カッター
３６ａ、３６ｃ            下端
３７ａ、３７ｂ、３７ｃ    受け面
３８ａ、３８ｃ            底面
４１ａ、４１ａｂ          第一係止部
４２ａ、４２ａｂ          第一解除部
４３ａ、４３ａｂ          第二係止部
４４ａ、４４ａｂ          第二解除部
４５ａ、４５ｂ、４５ｃ    連結部
４６ａ、４６ｂ、４６ｃ    嵌合用アンダーカット
４７ａ、４７ｂ、４７ｃ    嵌合部
４８、４８ａｂ、４８ｂ    不連続部
４９ａ、４９ｂ、４９ｃ    基部
５１ａ                    連結材
５２ａ                    受け環
５３ａ、５３ｂ、５３ｃ    対容器アンダーカット
５４ａ、５４ｂ            抑えバンド
５５ａ                    ブリッジ
５６ａ                    嵌合用溝
５７ａ、５７ｂ            嵌合用舌片
５８ａｂ、５８ｃ          嵌合案内筒
５９ａ                    操作つまみ
６１ｂ                    間欠部
６２ｂ                    不連続部（嵌合部４７ｂ）
６３ｂ                    嵌合用溝
６４ｂ                    連結部分
６５ｂ                    操作つまみ
６６ｂ                    あご
６７ｃ                    操作つまみ
６８ｃ                    切り欠き
７１ｃ                    間隙
７２ｃ                    カバーキャップつまみ部
７３ｃ                    側端部
７４ｃ                    易切り離し部
７５ｃ                    鎖錠突起
７６ｃ                    鎖錠係止突起
１００                    容器
１０１                    容器胴部
１０２                    肩部
１０３                    筒部
１０４                    注口
１０５                    突起
１０６                    嵌合用アンダーカット
１０７                    抑え肩部
１０９                    アンダーカット（筒部）
【図１】
2006264711.tif 000003
【図２】
2006264711.tif 000004
【図３】
2006264711.tif 000005
【図４】
2006264711.tif 000006
【図５】
2006264711.tif 000007
【図６】
2006264711.tif 000008
【図７】
2006264711.tif 000009
【図８】
2006264711.tif 000010
【図９】
2006264711.tif 000011
【図１０】
2006264711.tif 000012
【図１１】
2006264711.tif 000013
【図１２】
2006264711.tif 000014
【図１３】
2006264711.tif 000015
【図１４】
2006264711.tif 000016
【図１５】
2006264711.tif 000017
【図１６】
2006264711.tif 000018
【図１７】
2006264711.tif 000019
【図１８】
2006264711.tif 000020
【図１９】
2006264711.tif 000021
【図２０】
2006264711.tif 000022
【図２１】
2006264711.tif 000023
【図２２】
2006264711.tif 000024
【図２３】
2006264711.tif 000025
【図２４】
2006264711.tif 000026
【図２５】
2006264711.tif 000027
【図２６】
2006264711.tif 000028
【図２７】
2006264711.tif 000029
【図２８】
2006264711.tif 000030
【図２９】
2006264711.tif 000031
【図３０】
2006264711.tif 000032
【図３１】
2006264711.tif 000033
【図３２】
2006264711.tif 000034
【図３３】
2006264711.tif 000035
【図３４】
2006264711.tif 000036
【図３５】
2006264711.tif 000037
【図３６】
2006264711.tif 000038